(57)【要約】【課題】画面に画像を表示させる際の操作性を向上させる。【解決手段】LCDパネルには、表示の対象となる画像２Ａ乃至２Ｄと、LCDパネルの表示をスクロールさせるためのイベントスクロールバー５５2とが表示される。また、LCDパネルには、画像２Ａ乃至２Ｄまたはイベントスクロールバー５５2を選択するカーソル５６が表示される。そして、カーソル５６が画像２Ａ乃至２Ｄを選択している場合、ユーザの操作に応じて、カーソル５６は隣接する画像を順次選択し、カーソル５６がイベントスクロールバー５５2を選択している場合、ユーザの操作に応じて、カーソル５６は、選択しているイベントスクロールバー５５2の上または下に表示されているイベントスクロールバーを順次選択する。本発明は、例えば、ディジタルカメラに適用できる。【選択図】図５
2007241353.tif 000002
【特許請求の範囲】
【請求項１】
複数の画像を所定の条件に従って配列して表示させる情報処理装置において、
前記複数の画像を表示する表示手段と、
表示の対象となる画像である表示対象画像と、１または複数の前記画像からなる画像グループに応じて設けられる画像グループ領域とを、前記表示手段に表示させる表示制御手段と、
前記表示対象画像または前記画像グループ領域を選択する選択手段と
を備え、
前記選択手段は、
前記表示対象画像を選択している場合、ユーザの操作に応じて、隣接する前記表示対象画像を順次選択し、
前記画像グループ領域を選択している場合、ユーザの操作に応じて、選択している前記画像グループ領域の前記画像グループに対して前または次の前記画像グループの前記画像グループ領域を順次選択する
情報処理装置。
【請求項２】
前記表示制御手段は、前記表示手段に表示されていない前記画像または前記画像グループ領域を選択するように前記選択手段が操作されると、ユーザの操作に応じて、前記表示手段の表示をスクロールさせる
請求項１に記載の情報処理装置。
【請求項３】
前記画像グループは、前記画像の撮像が行われたイベントを特定するイベント情報に基づいて分類される
請求項１に記載の情報処理装置。
【請求項４】
前記表示手段に、複数枚の前記表示対象画像が表示されている場合、
前記選択手段は、ユーザの操作に応じて、前記表示手段に表示される全ての前記表示対象画像を、さらに選択し、
前記表示制御手段は、前記選択手段が前記表示手段に表示される全ての前記表示対象画像を選択している場合、全ての前記表示対象画像を１つのページとし、前記ページごとに前記表示手段の表示をスクロールさせる
請求項１に記載の情報処理装置。
【請求項５】
複数の画像を表示する表示手段に、前記画像を所定の条件に従って配列して表示させる情報処理方法において、
表示の対象となる画像である表示対象画像と、１または複数の前記画像からなる画像グループに応じて設けられる画像グループ領域とを、前記表示手段に表示させ、
前記表示対象画像または前記画像グループ領域を選択し、
前記表示対象画像を選択している場合、ユーザの操作に応じて、隣接する前記表示対象画像を順次選択し、
前記画像グループ領域を選択している場合、ユーザの操作に応じて、選択している前記画像グループ領域の前記画像グループに対して前または次の前記画像グループの前記画像グループ領域を順次選択する
ステップを含む情報処理方法。
【請求項６】
複数の画像を表示する表示手段に、前記画像を所定の条件に従って配列して表示させる処理をコンピュータに実行させるプログラムにおいて、
表示の対象となる画像である表示対象画像と、１または複数の前記画像からなる画像グループに応じて設けられる画像グループ領域とを、前記表示手段に表示させ、
前記表示対象画像または前記画像グループ領域を選択し、
前記表示対象画像を選択している場合、ユーザの操作に応じて、隣接する前記表示対象画像を順次選択し、
前記画像グループ領域を選択している場合、ユーザの操作に応じて、選択している前記画像グループ領域の前記画像グループに対して前または次の前記画像グループの前記画像グループ領域を順次選択する
ステップを含むプログラム。
【発明の詳細な説明】
【技術分野】
【０００１】
本発明は、情報処理装置および方法、並びにプログラムに関し、特に、操作性を向上させることができるようにした情報処理装置および方法、並びにプログラムに関する。
【背景技術】
【０００２】
例えば、ディジタルカメラでは、撮像済みの画像を、そのディジタルカメラが有するディスプレイパネルの画面に表示することができる。従って、ユーザは、ディジタルカメラの画面に撮像済みの画像を表示させ、画像を閲覧することができる。また、ユーザは、ディジタルカメラを操作して、ディジタルカメラの画面に複数枚のサムネイル（縮小画像）を表示させて、閲覧する画像を選択することができる。
【０００３】
例えば、ディジタルカメラは、画面に複数枚のサムネイルを表示させる場合、ユーザの操作に応じて移動するカーソルを画面に表示させる。そして、ユーザは、ディジタルカメラを操作して、カーソルを移動させることにより、所望のサムネイルを選択したり、画面の表示をスクロールさせたりすることができる。例えば、ユーザがカーソルを下方向に移動させるように操作すると、カーソルは下方向に移動しながらサムネイルを順次選択する。そして、カーソルが最も下側に表示されているサムネイルを選択するまで移動したときに、ユーザが、さらに下方向にカーソルを移動させるように操作すると、画面の表示は上方向にスクロールする。
【０００４】
また、例えば、撮像済みの画像を所定のグループに分け、それぞれのグループにおいて最後に表示された画像を記憶しておくことにより、表示対象となる画像を選択する際の操作性を向上させることができるディジタルカメラが開示されている（例えば、特許文献１参照）。
【特許文献１】特開２００６−１１６０６号公報
【発明の開示】
【発明が解決しようとする課題】
【０００５】
ところで、ディジタルカメラの画面が大型化しているが、この画面の大型化に伴って、画面に表示可能なサムネイルの枚数が増加している。例えば、３インチ以上の画面を備えたディジタルカメラでは、１００枚程度のサムネイルを画面に表示させても、ユーザは、それぞれのサムネイルに対応する画像を識別することができる。
【０００６】
しかしながら、画面に表示可能なサムネイルの枚数が増加すると、例えば、画面の表示をスクロールさせるユーザの操作も煩雑になり、ひいては、ディジタルカメラの操作性が低下する。
【０００７】
本発明は、このような状況に鑑みてなされたものであり、操作性を向上させることができるようにするものである。
【課題を解決するための手段】
【０００８】
本発明の一側面は、複数の画像を所定の条件に従って配列して表示させる情報処理装置であって、前記複数の画像を表示する表示手段と、表示の対象となる画像である表示対象画像と、１または複数の前記画像からなる画像グループに応じて設けられる画像グループ領域とを、前記表示手段に表示させる表示制御手段と、前記表示対象画像または前記画像グループ領域を選択する選択手段とを備え、前記選択手段は、前記表示対象画像を選択している場合、ユーザの操作に応じて、隣接する前記表示対象画像を順次選択し、前記画像グループ領域を選択している場合、ユーザの操作に応じて、選択している前記画像グループ領域の前記画像グループに対して前または次の前記画像グループの前記画像グループ領域を順次選択する情報処理装置である。
【０００９】
また、本発明の一側面は、複数の画像を表示する表示手段に、前記画像を所定の条件に従って配列して表示させる情報処理方法またはプログラムであって、表示の対象となる画像である表示対象画像と、１または複数の前記画像からなる画像グループに応じて設けられる画像グループ領域とを、前記表示手段に表示させ、前記表示対象画像または前記画像グループ領域を選択し、前記表示対象画像を選択している場合、ユーザの操作に応じて、隣接する前記表示対象画像を順次選択し、前記画像グループ領域を選択している場合、ユーザの操作に応じて、選択している前記画像グループ領域の前記画像グループに対して前または次の前記画像グループの前記画像グループ領域を順次選択するステップを含む情報処理方法またはプログラムでもある。
【００１０】
本発明の一側面においては、表示の対象となる画像である表示対象画像と、１または複数の画像からなる画像グループに応じて設けられる画像グループ領域とが表示手段に表示される。また、表示対象画像または画像グループ領域が、ユーザの操作に応じて選択される。そして、表示対象画像が選択されている場合、ユーザの操作に応じて、隣接する表示対象画像が順次選択され、画像グループ領域が選択されている場合、ユーザの操作に応じて、選択している画像グループ領域の画像グループに対して前または次の画像グループの画像グループ領域が順次選択される。
【発明の効果】
【００１１】
本発明の一側面によれば、操作性を向上させることができる。
【発明を実施するための最良の形態】
【００１２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１３】
本発明の一側面の情報処理装置は、
複数の画像を所定の条件に従って配列して表示させる情報処理装置であって、
前記複数の画像を表示する表示手段（例えば、図１のLCDパネル１５）と、
表示の対象となる画像である表示対象画像と、１または複数の前記画像からなる画像グループに応じて設けられる画像グループ領域（例えば、図５のイベントスクロールバー５５）とを、前記表示手段に表示させる表示制御手段（例えば、図６のステップＳ１１の処理を実行する図３の表示制御部４５）と、
前記表示対象画像または前記画像グループ領域を選択する選択手段（例えば、図５のカーソル５６）と、
を備え、
前記選択手段は、
前記表示対象画像を選択している場合、ユーザの操作に応じて、隣接する前記表示対象画像を順次選択し、
前記画像グループ領域を選択している場合、ユーザの操作に応じて、選択している前記画像グループ領域の前記画像グループに対して前または次の前記画像グループの前記画像グループ領域を順次選択する。
【００１４】
本発明の一側面の情報処理方法またはプログラムは、
複数の画像を表示する表示手段に、前記画像を所定の条件に従って配列して表示させる情報処理方法またはプログラムであって、
表示の対象となる画像である表示対象画像と、１または複数の前記画像からなる画像グループに応じて設けられる画像グループ領域とを、前記表示手段に表示させ（例えば、図６のステップＳ１１）、
前記表示対象画像または前記画像グループ領域を選択し（例えば、図６のステップＳ１６またはＳ１９）、
前記表示対象画像を選択している場合、ユーザの操作に応じて、隣接する前記表示対象画像を順次選択し（例えば、図６のステップＳ１６）、
前記画像グループ領域を選択している場合、ユーザの操作に応じて、選択している前記画像グループ領域の前記画像グループに対して前または次の前記画像グループの前記画像グループ領域を順次選択する（例えば、図６のステップＳ１９）
ステップを含む。
【００１５】
以下、本発明を適用した具体的な実施の形態について、図面を参照しながら詳細に説明する。
【００１６】
図１は、本発明を適用したディジタルカメラ１１の一実施の形態の外観構成例を示す平面図である。
【００１７】
なお、ディジタルカメラ１１は、略直方体の形状をしており、図１は、ディジタルカメラ１１の、被写体からの光が入射するレンズ（図示せず）が設けられた面を正面として、ディジタルカメラ１１を背面側から見た背面図である。
【００１８】
図１において、ディジタルカメラ１１には、電源ボタン１２、再生ボタン１３、シャッタボタン（レリーズボタン）１４、液晶ディスプレイパネル１５（以下、適宜、LCD（Liquid Crystal Display）パネル１５という）、ズームボタン１６、方向ボタン１７、決定ボタン１８が設けられている。
【００１９】
電源ボタン１２は、ディジタルカメラ１１の上面の中央に設けられており、ディジタルカメラ１１の電源のオン／オフを切り換えるときに、ユーザにより操作される。ユーザが電源ボタン１２を操作して、ディジタルカメラ１１の電源がオンになると、ディジタルカメラ１１は、被写体を撮像（撮影）することができる状態の動作モードである撮像モードとなる。
【００２０】
再生ボタン１３は、ディジタルカメラ１１の背面の右側に設けられており、ディジタルカメラ１１の動作モードを、撮像モードまたは再生モード（画像を表示する状態の動作モード）のうちの一方から他方に切り換えるときに、ユーザにより操作される。ディジタルカメラ１１が撮像モードであるときに、ユーザが再生ボタン１３を操作すると、ディジタルカメラ１１は再生モードとなり、逆に、ディジタルカメラ１１が再生モードであるときに、ユーザが再生ボタン１３を操作すると、ディジタルカメラ１１は撮像モードとなる。
【００２１】
シャッタボタン１４は、ディジタルカメラ１１の上面の右側に設けられており、ディジタルカメラ１１で被写体を撮像するときに（ディジタルカメラ１１で被写体を撮像することにより得られる画像を記憶するときに）、ユーザにより操作される。撮像モード時に、ユーザがシャッタボタン１４を操作すると、ディジタルカメラ１１は被写体を撮像する。即ち、ユーザによるシャッタボタン１４の操作をトリガとして、ディジタルカメラ１１は、例えば、後述する図２の撮像素子２１から出力される画像データを記憶する。
【００２２】
LCD（Liquid Crystal Display）パネル１５は、ディジタルカメラ１１の背面の左側に設けられており、画像を表示する。例えば、LCDパネル１５は、撮像モード時には、被写体の構図を確認するための画像（図２の撮像素子２１からリアルタイムで出力される画像データを再生した画像であるスルー画像）を表示する。また、LCDパネル１５は、再生モード時には、撮像済みの画像（ディジタルカメラ１１に既に記憶されている画像データを再生した画像である再生画像）を表示する。
【００２３】
ズームボタン１６は、ディジタルカメラ１１の背面の右側に設けられており、テレボタン１６1とワイドボタン１６2からなる。ズームボタン１６は、撮像モード時には、撮像範囲の倍率（ズーム倍率）を調整するときにユーザにより操作される。例えば、ユーザがテレボタン１６1を操作すると、ズーム倍率が高くなって、撮像範囲が狭まり（ズームアップし）、ユーザがワイドボタン１６2を操作するとズーム倍率が低くなって、撮像範囲が広がる（ズームダウンする）。
【００２４】
また、ズームボタン１６は、再生モード時には、ディジタルカメラ１１の表示モードを切り換えるときにユーザにより操作される。例えば、ディジタルカメラ１１の表示モードには、シングル表示モードとインデックス表示モードがあり、シングル表示モードでは、LCDパネル１５の全画面に１枚の画像が表示され、インデックス表示モードでは、LCDパネル１５に複数枚の画像（縮小画像）（サムネイル）が格子状に配置されて表示される。
【００２５】
方向ボタン１７は、ディジタルカメラ１１の背面の右側に設けられており、上ボタン１７1、左ボタン１７2、右ボタン１７3、および下ボタン１７4からなり、例えば、インデックス表示モード時に表示されるカーソルを移動させるとき等に、ユーザにより操作される。
【００２６】
決定ボタン１８は、ディジタルカメラ１１の背面の右側に設けられており、例えば、ユーザが画像の選択を決定するときに操作される。例えば、インデックス表示モード時に、ユーザが方向ボタン１７を操作してカーソルを移動させ、ある画像を選択した後に、決定ボタン１８を操作すると、ディジタルカメラ１１の表示モードがシングル表示モードとなって、カーソルが選択（位置）していた画像が、LCDパネル１５の全画面に表示される。
【００２７】
次に、図２は、図１のディジタルカメラ１１の電気的な構成例を示すブロック図である。
【００２８】
図２において、ディジタルカメラ１１は、LCDパネル１５、撮像素子２１、撮像画像処理部２２、操作入力部２３、CPU（Central Processing Unit）２４，ROM（Read Only Memory）２５，RAM（Random Access Memory）２６、フラッシュメモリ（例えば、EEPROM（Electronically Erasable and Programmable Read Only Memory））２７，I/O制御部２８、メモリカード２９、表示画像処理部３０、およびバス３１から構成される。
【００２９】
ディジタルカメラ１１では、撮像画像処理部２２、操作入力部２３、CPU２４、ROM２５、RAM２６、フラッシュメモリ２７、I/O制御部２８、表示画像処理部３０が、バス３１を介して互いに接続されている。また、ディジタルカメラ１１では、撮像画像処理部２２に撮像素子２１が接続され、I/O制御部２８にメモリカード２９が接続され、表示画像処理部３０にLCDパネル１５が接続されている。
【００３０】
撮像素子２１は、例えば、CCD（Charge Coupled Device），CMOS(Complementary Metal Oxide Semiconductor)センサなどで構成され、撮像を行い、その撮像によって得られる画像（撮像画像）を出力する。即ち、撮像素子２１は、図示しない撮像レンズなどを介して被写体の光を受光して光電変換を行い、光の受光量に応じた電気信号を撮像画像処理部２２に供給する。
【００３１】
撮像画像処理部２２は、例えば、アナログ信号処理部、A/D(Analog/Digital)コンバータ、ディジタル信号処理部（いずれも図示せず）などで構成され、撮像素子２１が出力する撮像画像に対して、各種の画像処理を施し、画像データを出力する。
【００３２】
例えば、撮像画像処理部２２では、アナログ信号処理部が、撮像素子２１から供給される電気信号に対してノイズ除去処理などを施す。また、A/Dコンバータが、アナログ信号処理部によって処理された電気信号に対して、A/D変換処理を施してディジタル信号を出力する。そして、ディジタル信号処理部が、A/D変換処理が出力するディジタル信号に対して、増幅、ガンマ補正、ホワイトバランス調整などの処理を施すことにより、撮像画像処理部２２は、画像データを得て出力する。
【００３３】
撮像画像処理部２２が出力する画像データは、バス３１を介してRAM２６に供給され、一時的に記憶される。
【００３４】
操作入力部２３は、ディジタルカメラ１１に設けられる各種のボタン（例えば、図１のズームボタン１６や方向ボタン１７など）に対するユーザの操作を検出し、ユーザの操作に対応する操作信号を、バス３１を介して、CPU２４に供給する。
【００３５】
CPU２４は、ROM２５やフラッシュメモリ２７に記憶されているプログラムを読み出して実行し、例えば、操作入力部２３から供給される操作信号に基づいて、ディジタルカメラ１１を構成する各部を制御する。
【００３６】
ROM２５は、CPU２４が実行するプログラムや、ディジタルカメラ１１に予め設定されている初期設定のデータなどを記憶している。
【００３７】
RAM２６は、撮像画像処理部２２が出力する画像データや、CPU２４が処理を行う上で必要なデータを一時的に記憶する。
【００３８】
フラッシュメモリ２７は、CPU２４が実行するプログラムや、ユーザによりディジタルカメラ１１に設定された各種のデータなどの、ディジタルカメラ１１の電源がオフにされたときも保持しておく必要があるデータを記憶する。
【００３９】
I/O制御部２８は、撮像モード時に、CPU２４の制御に従い、バス３１を介して、RAM２６に一時的に記憶されている画像データを読み出し、メモリカード２９に供給して記憶させる。また、I/O制御部２８は、再生モード時に、CPU２４の制御に従い、メモリカード２９に記憶されている画像データを読み出し、バス３１を介してRAM２６に供給して一時的に記憶させる。
【００４０】
メモリカード２９は、画像データ等を記録する記録媒体である。メモリカード２９は、例えば、図示しないカードスロットに対して着脱可能になっており、カードスロットに装着されたときに、そのカードスロットを介してI/O制御部２８に電気的に接続される。メモリカード２９には、I/O制御部２８から供給される画像データが記録され、また、メモリカード２９に記録されている画像データは、I/O制御部２８によって読み出される。
【００４１】
表示画像処理部３０は、LCDパネル１５に画像を表示させる。即ち、表示画像処理部３０は、バス３１を介して、RAM２６に記憶されている画像データを読み出し、その画像データを、LCDパネル１５が表示することができる電気信号に変換する処理を施し、その電気信号を出力する。
【００４２】
次に、図３は、図２のディジタルカメラ１１の機能的な構成例を示すブロック図である。
【００４３】
図３において、ディジタルカメラ１１は、LCDパネル１５、撮像画像処理部２２、操作入力部２３、表示画像処理部３０、操作信号受信部４１、撮像制御部４２、イベント情報生成部４３、画像記憶部４４、および表示制御部４５から構成される。なお、操作信号受信部４１、撮像制御部４２、イベント情報生成部４３、および表示制御部４５は、プログラムを実行することにより各種の処理を行う図２のCPU２４に対応し、画像記憶部４４は、メモリカード２９に確保された記憶領域である。
【００４４】
操作信号受信部４１には、ユーザの操作に対応する操作信号が、操作入力部２３から供給される。操作信号受信部４１は、操作入力部２３からの操作信号を受信し、撮像モード時には、操作信号を撮像制御部４２に供給し、再生モード時には、操作信号を表示制御部４５に供給する。
【００４５】
撮像制御部４２は、操作信号受信部４１からの操作信号に基づいて、被写体を撮像するための制御を行う。例えば、撮像モード時に、ユーザがシャッタボタン１４を操作すると、撮像制御部４２には、その操作に対応する操作信号が操作信号受信部４１から供給される。撮像制御部４２は、シャッタボタン１４が操作された操作信号をトリガとして、撮像画像処理部２２から出力される画像データを画像記憶部４４に記憶させる。
【００４６】
さらに、撮像制御部４２は、画像データを画像記憶部４４に記憶させる際に、画像データとともに、この画像データに対応して、画像が撮像された時刻である撮像時刻（時刻の他、年月日を含む）と、撮像時刻に基づく情報であるイベント情報とを関連付けた画像管理情報（データベース）を記録させる。例えば、画像管理情報には、各画像データのＩＤと、画像データを参照するための参照情報とが関連付けて記録されるとともに、各イベントＩＤと、各イベントに属する１または複数の画像データのＩＤとが関連付けて記録される。
【００４７】
即ち、撮像制御部４２は、新しく画像が撮像されて、シャッタボタン１４が操作された操作信号が操作信号受信部４１から供給されると、ディジタルカメラ１１に内蔵されている時計（図示せず）が計時する時刻を参照して、新しく撮像された画像の撮像時刻を取得する。そして、撮像制御部４２は、その撮像時刻を、イベント情報生成部４３に供給し、撮像時刻の供給に対してイベント情報生成部４３から供給されるイベント情報を取得する。そして、撮像制御部４２は、撮像時刻とイベント情報とを関連付けた画像管理情報を記録させる。
【００４８】
イベント情報生成部４３は、新しく撮像された画像の撮像時刻が撮像制御部４２から供給されると、画像記憶部４４に記憶されている撮像済みの画像の撮像時刻を、画像管理情報を参照して取得し、これらの撮像時刻に基づいて、新しく撮像された画像のイベント情報を生成する。
【００４９】
ここで、イベント情報とは、ユーザが撮像を行ったイベント（旅行や運動会などの行事や催し）ごとに画像をグループ化するための、それぞれのイベントを特定するための情報である。例えば、イベント情報生成部４３は、撮像時刻の分散（ばらつき）からイベントを特定し、イベントごとのＩＤ（IDentification）を生成して、このＩＤをイベント情報とする。
【００５０】
具体的には、イベント情報生成部４３は、新しく撮像された画像の撮像時刻と、撮像済みの複数の画像の撮像時刻との時間間隔のばらつきが小さければ、新しく撮像された画像と、撮像済みの複数の画像とは、同一のイベントで撮像された画像であるとして、撮像済みの画像のイベント情報としてのＩＤと同一のＩＤをイベント情報として生成する。一方、イベント情報生成部４３は、新しく撮像された画像の撮像時刻と、撮像済みの複数の画像の撮像時刻との時間間隔のばらつきが大きければ、新しく撮像された画像と、撮像済みの複数の画像とは、異なるイベントで撮像された画像であるとして、撮像済みの画像のイベント情報としてのＩＤとは異なるＩＤをイベント情報として生成する。
【００５１】
また、イベント情報生成部４３は、イベント情報に、それぞれのイベントのタイトルを付加することができる。例えば、ユーザは、撮像時に行われていた行事などのイベントのタイトルをディジタルカメラ１１に入力することができる。なお、ユーザによりイベントのタイトルが入力されていない場合、イベント情報生成部４３は、イベントのＩＤを、そのイベントのタイトルとすることができる。
【００５２】
画像記憶部４４は、撮像制御部４２から供給される画像データを記憶する。
【００５３】
表示制御部４５は、再生モード時に、操作信号受信部４１からの操作信号に基づいて、LCDパネル１５に画像を表示させるための制御を行う。例えば、ディジタルカメラ１１の表示モードがインデックス表示モードである場合には、上述したように、LCDパネル１５には複数枚の画像（サムネイル）が表示される。
【００５４】
そこで、表示制御部４５は、表示の対象となる複数枚の画像に対応する画像データを画像記憶部４４から読み出して、それらの画像をLCDパネル１５に表示させるための表示画像（例えば、後述する図４の表示画像５１乃至５３）を生成する。そして、表示制御部４５は、LCDパネル１５に表示画像を表示させるように、表示画像処理部３０を制御する。
【００５５】
以上のように構成されるディジタルカメラ１１では、再生モード時に、ユーザの操作に応じた操作信号が操作信号受信部４１から表示制御部４５に供給され、その操作信号に基づいて、表示制御部４５により画像記憶部４４から読み出された画像が、LCDパネル１５に表示される。
【００５６】
次に、図４は、ユーザの操作に従って、図３の表示制御部４５がLCDパネル１５に表示させる画像の表示例を示す図である。
【００５７】
上述したように、ディジタルカメラ１１の表示モードが、シングル表示モードであるときには、LCDパネル１５に１枚の画像が表示され、インデックス表示モードであるときには、LCDパネル１５に複数枚の画像（サムネイル）が格子状の配置で表示される。
【００５８】
ここで、ディジタルカメラ１では、インデックス表示モードとして、例えば、横×縦が２×２となる条件に従って４枚の画像が配列して表示される２×２表示モードと、横×縦が６×６となる条件に従って３６枚の画像が配列して表示される６×６表示モードとがある。
【００５９】
図４の上側には、ディジタルカメラ１１の表示モードがシングル表示モードであるときに、LCDパネル１５に表示される表示画像５１が示されている。図４においては、シングル表示モード時の表示画像５１として、１枚の画像１Ａが表示されている。
【００６０】
図４の中央には、ディジタルカメラ１１の表示モードが２×２表示モードであるときに、LCDパネル１５に表示される表示画像５２が示されている。２×２表示モード時の表示画像５２では、４枚の画像１Ａ乃至１Ｄが、横×縦が２×２となる配置で表示されており、上側にイベントタイトル表示部５４1が表示され、左側にイベントスクロールバー５５1が表示されている。
【００６１】
２×２表示モード時の表示画像５２において、画像１Ａ乃至１Ｄは、シングル表示モード時に表示される画像１Ａの約４分の１の大きさ（面積）で表示される。
【００６２】
イベントタイトル表示部５４1は、イベントのタイトルを表示する横方向に細長い矩形の領域であり、イベントタイトル表示部５４1には、画像１Ａ乃至１Ｄのイベントのタイトル「イベント１」が表示されている。
【００６３】
イベントスクロールバー５５1は、イベントに応じて設けられる、縦方向に細長い矩形のGUI（Graphical User Interface）である。イベントスクロールバー５５1は、例えば、LCDパネル１５の表示をイベントごとにスクロールさせるときに操作される。
【００６４】
また、２×２表示モード時の表示画像５２には、画像１Ａ乃至１Ｄまたはイベントスクロールバー５５1を選択するカーソル５６が表示されており、表示画像５２では、カーソル５６は、画像１Ａを選択している。
【００６５】
図４の下側には、ディジタルカメラ１１の表示モードが６×６表示モードであるときにLCDパネル１５に表示される表示画像５３が示されている。６×６表示モード時の表示画像５３では、上側にイベントタイトル表示部５４1が表示され、その下側に、１２枚の画像１Ａ乃至１Ｌが、横×縦が６×２となる配置で表示されている。さらに、表示画像５３では、画像１Ａ乃至１Ｌの下側に、イベントタイトル表示部５４2が表示され、その下側に、１８枚の画像２Ａ乃至２Ｒが、横×縦が６×３となる配置で表示されている。
【００６６】
また、６×６表示モード時の表示画像５３では、左上側に、イベントタイトル表示部５４1および画像１Ａ乃至１Ｌに対応するように、イベントスクロールバー５５1が表示され、イベントスクロールバー５５1の下側に、イベントタイトル表示部５４2および画像２Ａ乃至２Ｒに対応するように、イベントスクロールバー５５2が表示されている。
【００６７】
なお、ここで、６×６表示モード時の表示画像５３で表示されている画像１Ａ乃至１Ｌおよび画像２Ａ乃至２Ｒは、３０枚（横×縦が６×５）であるが、これは、イベントタイトル表示部５４1および５４2が表示されているためである。例えば、ユーザが、方向ボタン１７を操作して、イベントタイトル表示部５４1および５４2が表示されないように、LCDパネル１５の表示をスクロールさせると、表示画像５３には、３６枚（横×縦が６×６）の画像が表示される。
【００６８】
６×６表示モード時の表示画像５３において、画像１Ａ乃至１Ｌおよび画像２Ａ乃至２Ｒは、シングル表示モード時に表示される画像１Ａの約３６分の１の大きさで表示される。
【００６９】
イベントタイトル表示部５４1および５４2は、２×２表示モード時の表示画像５２のイベントタイトル表示部５４1と同様に、イベントのタイトルを表示する。イベントタイトル表示部５４1には、画像１Ａ乃至１Ｌのイベントのタイトル「イベント１」が表示されており、イベントタイトル表示部５４2には、画像２Ａ乃至２Ｒのイベントのタイトル「イベント２」が表示されている。
【００７０】
イベントスクロールバー５５1および５５2は、２×２表示モード時の表示画像５２のイベントスクロールバー５５1と同様に、LCDパネル１５の表示をイベントごとにスクロールさせるときに操作される。
【００７１】
ここで、例えば、ディジタルカメラ１１の動作モードが再生モードになったときの表示モードがシングル表示モードになるように、ディジタルカメラ１１が設定されているとする。この場合、ユーザが、図１の再生ボタン１３を操作して、ディジタルカメラ１１の動作モードを再生モードにすると、LCDパネル１５には、シングル表示モードで、例えば、表示画像５１が表示される。
【００７２】
その後、ユーザが、図１のワイドボタン１６2を操作すると、ディジタルカメラ１１の表示モードはインデックス表示モードの２×２表示モードとなって、LCDパネル１５には、表示画像５２が表示される。そして、ディジタルカメラ１１の表示モードが２×２表示モードであるときに、ユーザが、テレボタン１６1を操作すると、ディジタルカメラ１１の表示モードはシングル表示モードとなり、LCDパネル１５には、表示画像５１が表示される。
【００７３】
一方、ディジタルカメラ１１の表示モードが２×２表示モードであるときに、ユーザが、ワイドボタン１６2を操作すると、ディジタルカメラ１１の表示モードは６×６表示モードとなって、LCDパネル１５には、表示画像５３が表示される。そして、ディジタルカメラ１１の表示モードが６×６表示モードであるときに、ユーザが、テレボタン１６1を操作すると、ディジタルカメラ１１の表示モードは２×２表示モードとなり、LCDパネル１５には、表示画像５２が表示される。
【００７４】
なお、表示画像５２および５３では、カーソル５６は画像１Ａを選択しており、例えば、カーソル５６が画像１Ａを選択しているときに、ユーザが図１の決定ボタン１８を操作すると、ディジタルカメラ１１の表示モードは、インデックス表示モードからシングル表示モードとなり、LCDパネル１５には、表示画像５１として示したように、カーソル５６が選択していた画像１Ａが、LCDパネル１５の全画面に表示される。
【００７５】
次に、図５を参照して、２×２表示モードの表示を例に、LCDパネル１５の表示のスクロールについて説明する。
【００７６】
例えば、ディジタルカメラ１１の表示モードがシングル表示モードであって、LCDパネル１５の全画面に画像２Ａが表示されているときに、ユーザが、図１のワイドボタン１６2を操作すると、ディジタルカメラ１１の表示モードは２×２表示モードとなる。そして、LCDパネル１５には、図５の略中央に図示されている２×２表示モード時の表示画像５２Ａが表示される。
【００７７】
表示画像５２Ａでは、４枚の画像２Ａ乃至２Ｄが、横×縦が２×２となる配置で表示されており、上側にイベントタイトル表示部５４2が表示され、左側にイベントスクロールバー５５2が表示されている。また、表示画像５２Ａでは、カーソル５６は、直前のシングル表示モードで全画面表示されていた画像２Ａを選択している。
【００７８】
表示画像５２Ａのように、カーソル５６が画像２Ａを選択しているときに、ユーザが右ボタン１７3を操作すると、カーソル５６は、画像２Ａから右方向の画像２Ｂに移動して画像２Ｂを選択する。即ち、LCDパネル１５の表示は、表示画像５２Ａの右方に図示されている表示画像５２Ｂのようになる。
【００７９】
また、表示画像５２Ａのように、カーソル５６が画像２Ａを選択しているときに、ユーザが下ボタン１７4を操作すると、カーソル５６は、画像２Ａから下方向の画像２Ｃに移動してカーソル５６は画像２Ｃを選択する。即ち、LCDパネル１５の表示は、表示画像５２Ａの下方に図示されている表示画像５２Ｃのようになる。
【００８０】
さらに、ユーザが下ボタン１７4を操作すると、LCDパネル１５の表示が、１行だけ（１枚の画像単位で）上方向にスクロールする。即ち、LCDパネル１５の表示は、表示画像５２Ｃの下方に図示されている表示画像５２Ｄのようになる。表示画像５２Ｄには、画像２Ｃ乃至２Ｆが表示され、カーソル５６は画像２Ｅを選択している。なお、イベントタイトル表示部５４2も上方向にスクロールするため、表示画像５２Ｄには、イベントタイトル表示部５４2は表示されない。
【００８１】
一方、表示画像５２Ａのように、カーソル５６が画像２Ａを選択しているときに、ユーザが上ボタン１７1を操作すると、LCDパネル１５の表示が、１行だけ下方向にスクロールする。即ち、LCDパネル１５の表示は、表示画像５２Ａの上方に図示されている表示画像５２Ｅのようになる。表示画像５２Ｅには、画像１Ｅ、２Ａ、および２Ｂが表示され、カーソル５６は画像１Ｅを選択している。
【００８２】
また、ユーザの操作に応じて、イベントタイトル表示部５４2も下方向にスクロールするため、表示画像５２Ｅでは、画像１Ｅと画像２Ａおよび２Ｂとの間にイベントタイトル表示部５４2が表示される。さらに、イベントスクロールバー５５2が縦方向に短くなり、イベントスクロールバー５５2の上方の位置にイベントスクロールバー５５1が表示される。
【００８３】
なお、ここでは、イベント１にグループ分けされている画像は、画像１Ａ乃至１Ｅの５枚の画像であり、画像１Ｅがイベント１の最後の画像である。従って、図５に示すように、横×縦が２×２となる配置で各画像が表示されていると、表示画像５２Ｅにおいて、画像１Ｅの右側には、画像が表示されない。
【００８４】
一方、表示画像５２Ａのように、カーソル５６が画像２Ａを選択しているときに、ユーザが左ボタン１７2を操作すると、カーソル５６は画像２Ａから左方向のイベントスクロールバー５５2に移動してイベントスクロールバー５５2を選択する。即ち、LCDパネル１５の表示は、表示画像５２Ａの左方に図示されている表示画像５２Ｆのようになる。
【００８５】
そして、表示画像５２Ｆのように、カーソル５６がイベントスクロールバー５５2を選択しているときに、ユーザが下ボタン１７4を操作すると、LCDパネル１５の表示が、イベントごとに（イベント単位で）スクロールする。即ち、LCDパネル１５の表示は、表示画像５２Ｆの下方に図示されている表示画像５２Ｇのようになる。
【００８６】
表示画像５２Ｇには、画像３Ａ乃至３Ｄ、イベントタイトル表示部５４3、イベントスクロールバー５５3が表示されており、カーソル５６はイベントスクロールバー５５3を選択している。
【００８７】
このように、カーソル５６がイベントスクロールバー５５2を選択しているときに、ユーザが下ボタン１７4を操作すると、LCDパネル１５の表示が、イベントごとに上方向にスクロールし、イベント２の次のイベントであるイベント３の先頭の４枚の画像３Ａ乃至３Ｄが表示される。
【００８８】
なお、表示画像５２Ｆのように、カーソル５６によりイベントスクロールバー５５2が選択されているときに、ユーザが上ボタン１７1を操作すると、LCDパネル１５の表示が、イベントごとに下方向にスクロールし、イベント２の前のイベントであるイベント１の先頭の４枚の画像１Ａ乃至１ＤがLCDパネル１５に表示される。
【００８９】
次に、図６は、インデックス表示モードにおいて、図３の表示制御部４５がLCDパネル１５に画像を表示させる処理を説明するフローチャートである。ここで、以下、図５の画像２Ａや２Ｂなどを、それぞれ区別する必要がなければ、適宜、画像といい、イベントスクロールバー５５1や５５2などを、それぞれ区別する必要がなければ、適宜、イベントスクロールバーという。
【００９０】
ユーザが、図１の再生ボタン１３やズームボタン１６を操作して、ディジタルカメラ１１の表示モードがインデックス表示モードになると、ステップＳ１１において、図３の表示制御部４５は、画像記憶部４４から画像データを読み出して、表示の対象となる複数枚の画像（サムネイル）をLCDパネル１５に表示させる。
【００９１】
また、表示制御部４５は、イベントスクロールバーを表示させるためのデータを生成して、LCDパネル１５にイベントスクロールバーを表示させる。さらに、表示制御部４５は、カーソル５６が所定の画像またはイベントスクロールバーを選択するように、LCDパネル１５にカーソル５６を表示させる。
【００９２】
ステップＳ１１の処理後、ステップＳ１２に進み、表示制御部４５は、ユーザの操作に応じた操作信号が操作信号受信部４１から供給されるまで待機する。そして、例えば、ユーザが方向ボタン１７を操作することにより方向を指示すると、表示制御部４５には、操作信号受信部４１から操作信号が供給される。
【００９３】
表示制御部４５は、操作信号受信部４１から操作信号が供給されると、その操作信号を受信し、ステップＳ１３に進む。なお、操作信号では、ユーザにより指示された方向である指示方向が示される。
【００９４】
ステップＳ１３において、表示制御部４５は、カーソル５６が画像またはイベントスクロールバーのうちのいずれを選択しているかを判定する。
【００９５】
ステップＳ１３において、表示制御部４５が、カーソル５６が画像を選択していると判定した場合、ステップＳ１４に進み、表示制御部４５は、ステップＳ１２で受信した操作信号が示す方向に基づいて、表示をスクロールさせる処理、または、カーソルを移動させる処理のうちのいずれの処理を行うかを判定する。
【００９６】
例えば、図５の表示画像５２ＡがLCDパネル１５に表示されているときに、ユーザが上ボタン１７1を操作したとする。この場合、操作信号が示す方向は上方向であり、カーソル５６が選択している画像２Ａの上方向には、画像もイベントスクロールバーも表示されていないので、表示制御部４５は、表示をスクロールさせる処理を行うと判定する。
【００９７】
また、例えば、表示画像５２ＡがLCDパネル１５に表示されているときに、ユーザが右ボタン１７3を操作したとする。この場合、操作信号が示す方向は右方向であり、カーソル５６が選択している画像２Ａの右方向には、画像２Ｂが表示されているので、表示制御部４５は、カーソルを移動させる処理を行うと判定する。
【００９８】
ステップＳ１４において、表示制御部４５が、表示をスクロールさせる処理を行うと判定した場合、ステップＳ１５進み、表示制御部４５は、LCDパネル１５の表示を操作信号が示す指示方向の反対の方向に、１行だけ（１枚の画像単位で）スクロールさせる。
【００９９】
例えば、表示画像５２ＡがLCDパネル１５に表示されているときに、ユーザが上ボタン１７1を操作した場合、表示制御部４５は、LCDパネル１５の表示を下方向に１行だけスクロールさせる。これにより、LCDパネル１５の表示は、表示画像５２Ｅのようになる。
【０１００】
また、例えば、表示画像５２ＣがLCDパネル１５に表示されているときに、ユーザが下ボタン１７4を操作した場合、表示制御部４５は、LCDパネル１５の表示を上方向に１行だけスクロールさせる。これにより、LCDパネル１５の表示は、表示画像５２Ｄのようになる。
【０１０１】
一方、ステップＳ１４において、表示制御部４５が、カーソルを移動させる処理を行うと判定した場合、ステップＳ１６進み、表示制御部４５は、操作信号が示す指示方向に、カーソル５６を移動させる。
【０１０２】
例えば、表示画像５２ＡがLCDパネル１５に表示されているときに、ユーザが右ボタン１７3を操作した場合、表示制御部４５は、カーソル５６を右方向に移動させる。これにより、LCDパネル１５の表示は、表示画像５２Ｂのようになる。また、例えば、表示画像５２ＡがLCDパネル１５に表示されているときに、ユーザが左ボタン１７2を操作した場合、表示制御部４５は、カーソル５６を左方向に移動させる。これにより、LCDパネル１５の表示は、表示画像５２Ｆのようになる。
【０１０３】
ステップＳ１５またはＳ１６の処理後、ステップＳ１２に戻り、表示制御部４５は、操作信号が操作信号受信部４１から供給されるまで待機する。
【０１０４】
一方、ステップＳ１３において、表示制御部４５が、カーソル５６がイベントスクロールバーを選択していると判定した場合、ステップＳ１７に進み、表示制御部４５は、ステップＳ１２で受信した操作信号が示す方向に基づいて、表示をイベントごとにスクロールさせる処理、または、カーソルを移動させる処理のうちのいずれの処理を行うかを判定する。
【０１０５】
例えば、表示画像５２ＦがLCDパネル１５に表示されているときに、ユーザが上ボタン１７1または下ボタン１７4を操作し、操作信号が示す方向が上方向または下方向である場合、表示制御部４５は、表示をイベントごとにスクロールさせる処理を行うと判定する。また、例えば、表示画像５２ＦがLCDパネル１５に表示されているときに、ユーザが右ボタン１７3を操作し、操作信号が示す方向が右方向である場合、表示制御部４５は、カーソルを移動させる処理を行うと判定する。
【０１０６】
ステップＳ１７において、表示制御部４５が、表示をイベントごとにスクロールさせる処理を行うと判定した場合、ステップＳ１８に進み、表示制御部４５は、LCDパネル１５の表示を操作信号が示す指示方向の反対の方向に、イベントごとに（イベント単位で）スクロールさせる。
【０１０７】
例えば、表示画像５２ＦがLCDパネル１５に表示されているときに、ユーザが下ボタン１７4を操作した場合、表示制御部４５は、LCDパネル１５の表示を上方向にイベントごとにスクロールさせる。即ち、表示制御部４５は、イベント２の次のイベントであるイベント３の画像が表示されるように、表示をスクロールさせる。これにより、LCDパネル１５の表示は、表示画像５２Ｇのようになる。
【０１０８】
一方、ステップＳ１７において、表示制御部４５が、カーソルを移動させる処理を行うと判定した場合、ステップＳ１９に進み、表示制御部４５は、操作信号が示す指示方向にカーソル５６を移動させる。
【０１０９】
例えば、表示画像５２ＦがLCDパネル１５に表示されているときに、ユーザが右ボタン１７3を操作した場合、表示制御部４５は、カーソル５６を右方向に移動させる。これにより、LCDパネル１５の表示は、表示画像５２Ａのようになる。
【０１１０】
なお、例えば、表示画像５２Ｅのようにイベントスクロールバー５５1および５５2が表示されていて、イベントスクロールバー５５1がカーソル５６により選択されているときに、ユーザが下ボタン１７4を操作した場合、表示制御部４５は、カーソルを移動させる処理を行うと判定し、イベントスクロールバー５５2を選択するように、カーソル５６をイベントスクロールバー５５1からイベントスクロールバー５５2に移動させる。即ち、イベントスクロールバーが複数表示されている場合、LCDパネル１５の表示をスクロールさせることなくカーソル５６を移動させて、カーソル５６により現在選択されているイベントスクロールバーの上または下に表示されているイベントスクロールバーにカーソル５６を移動させる。
【０１１１】
ステップＳ１８またはＳ１９の処理後、ステップＳ１２に戻り、以下、同様の処理を繰り返す。
【０１１２】
以上のように、ディジタルカメラ１１は、カーソル５６が画像を選択していればLCDパネル１５の表示を画像ごとにスクロールさせ、カーソル５６がイベントスクロールバーを選択していればLCDパネル１５の表示をイベントごとにスクロールさせる。これにより、ユーザは、方向ボタン１７を操作するだけのシンプルな操作で、画像ごとのスクロールと、イベントごとのスクロールを選択し、LCDパネル１５の表示をスクロールさせることができる。このように、ディジタルカメラ１１の操作性を向上させることができる。
【０１１３】
なお、例えば、ディジタルカメラ１１と同様に、イベントごとに表示をスクロールさせる方法としては、イベントごとに表示をスクロールさせる指示を入力するためのメニュー画面を表示させる機能や、ハードウエア的なボタンなどを設け、メニュー画面やボタンに対して操作する方法が考えられる。これに対し、ディジタルカメラ１１では、メニュー画面を表示させたり、ハードウエア的なボタンなどを設けたりする必要がない。
【０１１４】
また、画像が撮像されたイベントごとに表示をスクロールさせるようにしたので、例えば、ユーザが、あるイベントで撮像した画像を閲覧しようとするとき、画像ごとに表示をスクロールさせる場合よりも、少ない操作の回数で所望の画像を表示させることができる。
【０１１５】
次に、図７は、LCDパネル１５に表示される表示画像の他の表示例を示す図である。
【０１１６】
ディジタルカメラ１１では、インデックス表示モードとして、LCDパネル１５に表示される全ての画像（サムネイル）をカーソル５６が選択し、カーソル５６により選択されている画像群を１つのページとするページ表示モードがある。
【０１１７】
図７に示されている表示画像６０Ａおよび６０Ｂでは、５６枚の画像が、横×縦が８×７となる配置で表示されており、カーソル５６に囲われている複数の小さな長方形が画像を表している。
【０１１８】
例えば、図４の６×６表示モード時の表示画像５３が表示されているときに、ユーザが、ワイドボタン１６2を操作すると、LCDパネル１５には、表示画像６０Ａが表示される。また、表示画像６０Ａおよび６０Ｂの右上には、ページ数が表示されている。例えば、このページ数により、ディジタルカメラ１１には、１０ページ分の画像が記録されており、表示画像６０Ａは１ページ目であり、表示画像６０Ｂは２ページ目であることが示されている。
【０１１９】
そして、ディジタルカメラ１１の表示モードがページ表示モードである場合、LCDパネル１５の表示は、ユーザの操作に応じて、ページごとにスクロールする。例えば、LCDパネル１５に表示画像６０Ａが表示されているときに、ユーザが下ボタン１７4を操作すると、LCDパネル１５の表示がページごとにスクロールし、LCDパネル１５には表示画像６０Ｂが表示される。
【０１２０】
このように、ページごとに表示をスクロールさせることによって、ユーザは、多数の画像を容易に、順次、確認することができる。
【０１２１】
例えば、ユーザは、表示モードをページ表示モードにして、多数の画像をページごとに確認し、LCDパネル１５の全画面に表示させたい画像があれば、方向ボタン１７を操作して、その画像にカーソルを合わせ、決定ボタン１８を操作することで、表示モードをシングル表示モードにして、その画像をLCDパネル１５の全画面に表示させることができる。
【０１２２】
なお、本実施の形態において、イベント情報生成部４３は、撮像時刻に基づいてイベント情報を生成するとしたが、イベント情報生成部４３は、撮像時刻以外の情報に基づいてイベント情報を生成してもよい。例えば、ディジタルカメラ１１がGPS（Global Positioning System）受信部を備え、画像が撮像された位置に関する情報を取得することができれば、イベント情報生成部４３は、撮像時刻と位置に関する情報とに基づいて、イベント情報を生成することができる。この場合、撮像された位置ごとにイベントが分類されることになる。
【０１２３】
また、撮像時刻に基づいてイベント情報を生成する場合であっても、例えば、撮像された日付ごと、もしくは、月ごとにイベントを分類するようにしても良い。さらには、撮像された画像に含まれる人物の顔の数を検出して記憶させ、記憶されている顔の数に応じてイベントを分類するようにしても良い。
【０１２４】
また、例えば、ユーザの操作をズームボタン１６や方向ボタン１７により入力する他、例えば、LCDパネル１５にタッチパネルを設け、ユーザの操作をタッチパネルにより入力するようにしてもよい。
【０１２５】
さらに、画像を記録する記録媒体としては、メモリカード２９以外に、磁気ディスク（フレキシブルディスクを含む）、光ディスク（CD-ROM(Compact Disc-Read Only Memory),DVD(Digital Versatile Disc)を含む）、光磁気ディスクなどを用いてもよい。
【０１２６】
また、例えば、ディジタルカメラ１１は、プログラムが記憶されているメモリカード２９がカードスロットに装着されたとき、そのプログラムを必要に応じて、フラッシュメモリ２７に記憶させることができる。
【０１２７】
なお、ディジタルカメラ１１に記録される画像は、静止画像でも動画像でもよく、例えば、動画像が記録されている場合、動画像の最初の画像がLCDパネル１５に表示される。
【０１２８】
また、本発明は、ディジタルカメラの他、例えば、携帯電話機、ハードディスクプレーヤ、ハードディスクレコーダ、ビューワなどの画像を表示する装置、ディジタルカメラで撮像された画像を管理するアプリケーションプログラムに適用することができる。
【０１２９】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１３０】
また、本発明の実施の形態は、上述した実施の形態に限定されるものではなく、本発明の要旨を逸脱しない範囲において種々の変更が可能である。
【図面の簡単な説明】
【０１３１】
【図１】本発明を適用したディジタルカメラ１１の一実施の形態の外観構成例を示す平面図である。
【図２】ディジタルカメラ１１の電気的な構成例を示すブロック図である。
【図３】ディジタルカメラ１１の機能的な構成例を示すブロック図である。
【図４】表示制御部４５がLCDパネル１５に表示させる画像の表示例を示す図である。
【図５】表示のスクロールについて説明する図である。
【図６】表示制御部４５がLCDパネル１５に画像を表示させる処理を説明するフローチャートである。
【図７】LCDパネル１５に表示される表示画像の他の表示例を示す図である。
【符号の説明】
【０１３２】
１１  ディジタルカメラ，  １２  電源ボタン，  １３  再生ボタン，  １４  シャッタボタン，  １５  LCDパネル，  １６  ズームボタン，  １７  方向ボタン，  １８  決定ボタン，  ２１  撮像素子，  ２２  撮像画像処理部，  ２３  操作入力部，  ２４  CPU，  ２５  ROM，  ２６  RAM，  ２７  フラッシュメモリ，  ２８  I/O制御部，  ２９  メモリカード，  ３０  表示画像処理部，  ３１  バス，  ４１  操作信号受信部，  ４２  撮像制御部，  ４３  イベント情報生成部，  ４４  画像記憶部，  ４５  表示制御部，  ５１乃至５３  表示画像，  ５４1乃至５４3  イベントタイトル表示部，  ５５1乃至５５3  イベントスクロールバー，  ５６  カーソル
【図１】
2007241353.tif 000003
【図２】
2007241353.tif 000004
【図３】
2007241353.tif 000005
【図４】
2007241353.tif 000006
【図５】
2007241353.tif 000007
【図６】
2007241353.tif 000008
【図７】
2007241353.tif 000009